(57)【要約】【課題】魚を取り込む際にできるだけエラスチックの伸びる量を低減させることのできる構造の継式釣竿を提供する。【解決手段】５本以上の中空竿管Ｒ１・・・Ｒ１１が、１番目の竿管である穂先竿Ｒ１と２番目の竿管Ｒ２との継合部は別として、他の継合部は振出式以外の継方式によって継ぎ合わされる釣竿であって、各竿管は合成樹脂をマトリックスとし、強化繊維で強化された繊維強化樹脂製であり、穂先竿Ｒ１と手元竿管Ｒ１１を除く何れかの竿管Ｒ３の側面に紐状エラスチックを挿通可能な貫通孔１０を設けているよう構成する。【選択図】図１
2008131907.tif 000002
【特許請求の範囲】
【請求項１】
５本以上の中空竿管が、１番目の竿管である穂先竿と２番目の竿管との継合部は別として、他の継合部は振出式以外の継方式によって継ぎ合わされる釣竿であって、各竿管は合成樹脂をマトリックスとし、強化繊維で強化された繊維強化樹脂製であり、穂先竿と手元竿管を除く何れかの竿管の側面に紐状エラスチックを挿通可能な貫通孔を設けていることを特徴とする継式釣竿。
【請求項２】
前記貫通孔を設けた竿管が釣竿全長の３分の１よりも前側に位置する竿管であって、穂先竿から数えて２番目か３番目か４番目の竿管であり、該貫通孔を設けた竿管の後部の継合部を除いた領域であって、当該竿管の後端から６０ｃｍの範囲内に該貫通孔を設けている請求項１記載の継式釣竿。
【発明の詳細な説明】
【技術分野】
【０００１】
本発明は、主に釣り競技において使用され、ポールロッドやボトムロッドと呼ばれる長目の継式釣竿に関する。
【背景技術】
【０００２】
ポールロッドと呼ばれる継式釣竿を用いた釣り競技では、釣竿は一般に１２ｍ以上の長さを有しており、通常１５ｍ前後に長く継ぎ合わせ設定するが、逆に道糸の長さを２〜３ｍ程度に短くすることで一定時間内に数多くの魚を釣り上げるように工夫している。
この釣竿の仕掛けに魚が掛かった際には、道糸が短いため、掛かった魚の負荷が、即、竿先に掛かり、釣竿が長いことによって釣人の手元には非常に大きな荷重が作用する。それを避けるために、穂先竿から数えて２〜４番目の何れかの竿管の内部位置から穂先竿先端にまで挿通させ、更には穂先竿先端から外部に露出させるだけの長さの、シリコン製やゴム製であって、直径が０．５ｍｍ〜２ｍｍ程度の大きさの紐状部材（いわばゴム糸）を配設し、この先に道糸を連結している。この紐状部材をエラスチックと称するが、この存在によって、魚が掛かった際に、その負荷は、このエラスチックの伸びによっても吸収されるため、竿に掛かる負荷を相当に低減できる。
掛かった魚はこのエラスチックを引き伸ばしつつ逃げ回るが、直ぐに疲れてこのエラスチックの弾力作用によって竿先側に引き寄せられる。継式釣竿の竿管は並継式、逆並継式、又はインロー継式であって振出式ではない（但し、穂先竿と穂持竿（２番竿）との継ぎ合わせは振出式でもよい）ため、手元側の竿管から順次後方に抜き去ることができ、順次釣竿を短くできる。魚が掛かった場合、魚とのやりとりをしつつ、順次手元側の竿管を抜き去っていって短くする。こうして、道糸の長さと同程度の長さの釣竿、即ち、３本程度の短い継合釣竿にして当該魚を取り込む。
こうした競技に使用する継式釣竿の例が下記特許文献に開示されている。
【特許文献１】特開２００２−３３０６７７号公報
【発明の開示】
【発明が解決しようとする課題】
【０００３】
然しながら、上記エラスチックは、数本の竿管内部を挿通している他、釣竿先端からもある程度の長さ露出しており、所定の長さを有している。従って、魚を取り込む際に、再び伸びて道糸の先の魚を取り込むことが必ずしも迅速に行えない。
依って解決しようとする課題は、魚を取り込む際にできるだけエラスチックの伸びる量を低減させることのできる構造の継式釣竿の提供である。
【課題を解決するための手段】
【０００４】
第１の発明では、５本以上の中空竿管が、１番目の竿管である穂先竿と２番目の竿管との継合部は別として、他の継合部は振出式以外の継方式によって継ぎ合わされる釣竿であって、各竿管は合成樹脂をマトリックスとし、強化繊維で強化された繊維強化樹脂製であり、穂先竿と手元竿管を除く何れかの竿管の側面に紐状エラスチックを挿通可能な貫通孔を設けていることを特徴とする継式釣竿を提供する。
【０００５】
第２の発明では、前記貫通孔を設けた竿管が釣竿全長の３分の１よりも前側に位置する竿管であって、穂先竿から数えて２番目か３番目か４番目の竿管であり、該貫通孔を設けた竿管の後部の継合部を除いた領域であって、当該竿管の後端から６０ｃｍの範囲内に該貫通孔を設けている第１の発明記載の継式釣竿を提供する。前記６０ｃｍに代えて、好ましくは、３０ｃｍ〜４０ｃｍである。
【発明の効果】
【０００６】
第１の発明では、何れかの竿管側面に貫通孔を設けているため、穂先竿から当該竿管内部にまで亘ってエラスチックを挿通させ、この貫通孔を介して釣竿内部に挿通しているエラスチックの一端部や途中部を外部に引き出しておくことができる。魚を取り込む際に、釣人がこの外部に引き出されたエラスチック部位を引っ張って穂先竿先端から外部に出ているエラスチック部分を引っ込めて短くしたり、竿管内部に挿通している部分の伸びを抑えて、エラスチック全体の可能な伸びを少なくして魚を素早く取り込むことができる。
【０００７】
第２の発明では、競技用の継式釣竿では、既述の如く道糸は釣竿全長に対して相当短く、通常は、穂先竿を含めて竿先から３本程度の長さに相当する。従って、魚を取り込むのは、継式釣竿を３本程度に短くしてからが都合が良い。即ち、釣竿全長の３分の１よりも前側に位置する竿管であって、穂先竿から数えて２番目か３番目か４番目の竿管に貫通孔を設けると、この貫通孔を設けている竿管を最後尾の竿管とする長さに継式釣竿を短くし、この竿管を握り、外部に露出したエラスチック部位を、竿管を握持していない方の手の指で引き出して、それを摘んでおけば、残りのエラスチック部分の伸びを低減でき、魚を取り込み易くなる。しかも、貫通孔を、その竿管の後部の継合部を除いた領域であって、当該竿管の後端から６０ｃｍの範囲内に設けると、釣竿を握った手の近くに貫通孔が位置するため、他の手でエラスチックの引き出し操作することが極めて容易となる。
【発明を実施するための最良の形態】
【０００８】
以下、本発明につき図面を用いて詳細に説明する。図１は本発明に係るポールロッドの全体図であり、この例では１１本の中空竿管Ｒ１，Ｒ２，・・・，Ｒ１１が並継式に継ぎ合わされているが、中空竿管Ｒ１とＲ２との継ぎ合わせは振出式でもよい。図２を参照すると、穂先竿Ｒ１では、その後部の継合部Ｒ１Ｔ２が、第２竿管Ｒ２の前部の継合部Ｒ２Ｔ１内に嵌合しており、第２竿管Ｒ２の後部の継合部Ｒ２Ｔ２は第３竿管Ｒ３の前部の継合部Ｒ３Ｔ１内に嵌合している。第３竿管Ｒ３の後部の継合部Ｒ３Ｔ２に近い前側位置の第３竿管領域側面に１個の貫通孔１０が形成されている。この例の継式釣竿は全長が１５ｍであり、少なくとも釣竿先端から５ｍ（全長の３分の１）以内に貫通孔１０が位置している。また、各竿管は合成樹脂をマトリックスとし、強化繊維で強化された繊維強化樹脂製であり、軽量である。
【０００９】
実際の釣り競技においては、図２に示すように、既述の従来のものと同様なエラスチック１２が挿通されている。即ち、この例では、エラスチック１２を貫通孔１０を介して第３竿管Ｒ３内に通し、その先側を第２竿管Ｒ２と穂先竿Ｒ１とに挿通させて、この穂先竿先端から外部に引き出している。この先端には道糸１４を連結させる。一方、他端側は貫通孔１０の外側に出しておく。このエラスチックの他端側が誤って第３竿管Ｒ３の中に引き込まれてしまわないように、図示しないストッパー部材をエラスチックの端部に設けておくとよい。
【００１０】
上記貫通孔１０の位置は、道糸１４の長さ程度の長さにまで短くした状態の継合釣竿の最も手元側の竿管に設ける。この例では、この手元側竿管は第３竿管Ｒ３である。継合釣竿の各竿管の長さ次第では、この手元側竿管が第２竿管の場合も有り、また、第４竿管の場合も有り得る。更には、手元側竿管内での位置においては後方部が好ましい。後方部を握って魚とのやりとりをするからである。後方部とは言っても、継合部は除外する。即ち、第３竿管Ｒ３の後部の継合部Ｒ３Ｔ２を除いた領域に設ける。
【００１１】
具体的には、竿管Ｒ３の後端から距離Ｌ１の範囲内に設ける。この距離Ｌ１としては６０ｃｍ以内が好ましい。この範囲であれば、一方の手で竿管Ｒ３を握り、他方の手でエラスチック１２の露出部を摘んで引っ張り出す操作が容易になる。貫通孔１０から可能な限りエラスチック１２を引き出して、その貫通孔近くの部位を摘んでおけば、魚の引きによって伸びる量が最小限となる。従って、魚の取り込みが迅速に行える。
【００１２】
竿管Ｒ３の側面に穿設した貫通孔に対して、エラスチック１２を直接挿通させてもよいが、図３に示すように該穿設貫通孔の孔縁を覆ったセラミック製や合成樹脂製や硬質ゴム製の孔縁部材２２を貫通する貫通孔１０を挿通させると、エラスチック１２の摩損が保護できる。この場合の特許請求の範囲に言う貫通孔とは、該孔縁部材２２を貫通している貫通孔１０となる。また、図４に示すように、前記穿設貫通孔に装着させたＬ字状の管部材１８内を挿通させてもよい。この場合の特許請求の範囲に言う貫通孔とは、該管部材の中を通る貫通孔１０となる。この管部材のＬ字の一辺部は竿管Ｒ３に平行に指向しており、その一辺部の中心軸線を竿管Ｒ３の中心軸線と一致させると、エラスチック１２が竿管Ｒ３の内壁で擦れ難く、エラスチック１２の引き出し操作が円滑に行われて好ましい。
【００１３】
また、釣竿には大きな撓み力が作用するため、竿管に貫通孔１０を設けると、ここから破損する虞が高くなる。そこで、強化繊維が交差した織布やバイアスのプリプレグを用いて貫通孔周辺を補強するための補強層２０を設けて竿管を成形することが好ましい。
【００１４】
図５は貫通孔を２個設け、前側の貫通孔１０と後側の貫通孔１０’とを介してエラスチック１２の端部ではなく途中部位を竿管の外部に露出させている。参照番号１６はエラスチック１２の後端部を保持したゴム材等から成るストッパー部材であり、竿管（Ｒ３）の後端から挿入すると該後端近くに保持される径寸法を有する。この場合のエラスチック１２の引き出し操作は、竿管外部に露出している部位に指を引っ掛けて行えると共に、エラスチック１２が竿管Ｒ３内に全て引き込まれる虞が無い。この場合も、各貫通孔の孔縁には図３のように孔縁部材２２を設けることが好ましい。
【産業上の利用可能性】
【００１５】
本発明はポールロッドと呼ばれる継式釣竿に利用できる。
【図面の簡単な説明】
【００１６】
【図１】図１は本発明に係る継式釣竿（ポールロッド）の全体図である。
【図２】図２は図１の継式釣竿を短くした状態であり、エラスチックを配設した状態の図である。
【図３】図３は図２の貫通孔近くの一形態例の拡大断面図である。
【図４】図４は貫通孔近くの他の形態例の拡大断面図である。
【図５】図５は貫通孔を２個設けた例である。
【符号の説明】
【００１７】
１０，１０’                      貫通孔
１２                              エラスチック
Ｒ１，Ｒ２・・・・Ｒ１１          中空管
Ｒ３Ｔ２                          第３竿管の後部の継合部
【図１】
2008131907.tif 000003
【図２】
2008131907.tif 000004
【図３】
2008131907.tif 000005
【図４】
2008131907.tif 000006
【図５】
2008131907.tif 000007